(57)【要約】      （修正有）【課題】部品点数を抑制し、以って生産性を向上させることが可能な光モジュールを提供する。【解決手段】互いに波長が異なる光を発光又は受光する複数の光素子２０と、所定の透過帯域の波長の光を透過させると共に所定の反射帯域の波長の光を反射するミラー部３０１ならびに光素子２０に対向するレンズ部３０２を有し、複数の光素子２０のそれぞれに対応して配置された複数のレンズ付きフィルタ３０と、を備えた光モジュールにおいて、複数のレンズ付きフィルタ３０を、レンズ部３０２によって光素子２０が発光又は受光する光を平行化又は集光すると共にミラー部３０２によって複数の光素子２０が発光又は受光する光を合波又は分波するように位置決めして配置する。【選択図】図３
2016099511.tif 000002
【特許請求の範囲】
【請求項１】
光を発光又は受光する複数の光素子と、
所定の透過帯域の波長の光を透過させると共に所定の反射帯域の波長の光を反射するミラー部ならびに前記光素子に対向するレンズ部を有し、前記複数の光素子のそれぞれに対応して配置された複数の光学部材とを備え、
前記複数の光素子は、互いに波長が異なる光を発光又は受光し、
前記複数の光学部材は、前記レンズ部によって前記光素子が発光又は受光する光を平行化又は集光すると共に、前記ミラー部によって前記複数の光素子が発光又は受光する光を合波又は分波するように位置決めして配置された、
光モジュール。
【請求項２】
前記光学部材は、透光性を有する多面体状の基部の一側面に前記ミラー部が形成され、前記ミラー部が形成された前記一側面とは異なる側面に前記レンズ部が設けられている、
請求項１に記載の光モジュール。
【請求項３】
前記光学部材は、前記基部が直方体状であり、前記レンズ部が前記一側面の反対側の側面に設けられ、
前記レンズ部を透過する光の光路の中心軸が前記レンズ部の中心軸に対して傾斜した、
請求項２に記載の光モジュール。
【請求項４】
前記複数の光素子のそれぞれは、互いに波長が異なる光を発光する発光素子であり、
前記複数の光学部材のうち、１つの光学部材を除く他の光学部材の前記ミラー部を透過した光を反射する反射部材をさらに備え、
前記複数の光学部材は、前記ミラー部が前記反射部材の反射面と平行となるように列状に配置され、
前記他の光学部材の前記ミラー部を透過した光が前記反射部材の前記反射面で反射して隣り合う光学部材の前記ミラー部に入射することで、前記複数の光素子の信号光が重畳される、
請求項１乃至３の何れか１項に記載の光モジュール。
【請求項５】
前記複数の光素子のそれぞれは、光を受光して電気信号に変換する受光素子であり、
前記複数の光学部材の前記ミラー部と平行な反射面を有する反射部材をさらに備え、
前記複数の光学部材は、前記反射部材の反射面と平行な配列方向に沿って列状に配置され、
前記複数の光学部材のうちの１つの光学部材には、波長の異なる複数の光が合波された波長分割多重光が前記ミラー部に入射し、
前記複数の光学部材のうち前記１つの光学部材を除く他の光学部材には、前記配列方向に隣り合う光学部材の前記ミラー部及び前記反射部材の前記反射面で反射した光が順次入射する、
請求項１乃至３の何れか１項に記載の光モジュール。
【請求項６】
前記複数の光学部材は、前記ミラー部同士が向かい合うように複列に配置され、
前記複数の光素子は、前記複列に配置された前記光学部材のそれぞれの前記レンズ部に対向するように複列に配置され、互いに波長が異なる光を前記レンズ部に向かって発光し、
複列に配置された前記複数の光学部材のうち一方列の光学部材の前記ミラー部を透過した光が他方列の光学部材の前記ミラー部で反射することにより、前記複数の光素子の信号光が順次重畳される、
請求項１乃至３の何れか１項に記載の光モジュール。
【請求項７】
前記複数の光学部材は、前記ミラー部同士が向かい合うように複列に配置され、
前記複数の光素子は、前記複列に配置された前記光学部材のそれぞれの前記レンズ部に対向するように複列に配置され、
前記複数の光学部材のうちの１つの光学部材には、波長の異なる複数の光が合波された波長分割多重光が前記ミラー部に入射し、
前記複数の光学部材のうち前記１つの光学部材を除く他の光学部材には、対向する列の前記光学部材の前記ミラー部で反射した光が入射し、
前記複数の光素子には、前記ミラー部を透過して分光され、前記レンズ部によって集光された光が順次入射する、
請求項１乃至３の何れか１項に記載の光モジュール。
【発明の詳細な説明】
【技術分野】
【０００１】
本発明は、光ファイバを信号伝送媒体とした波長分割多重通信を行うための光モジュールに関する。
【背景技術】
【０００２】
従来、光ファイバを信号伝送媒体とした波長分割多重通信を行うための光モジュールとして、特許文献１に記載の光通信モジュールが知られている。
【０００３】
特許文献１に記載の光通信モジュールは、真空封止されたパッケージと、光ファイバの端部が挿入されるスリーブとを有している。パッケージ内には、板状の金属からなる実装台が配置され、この実装台の上に光学部が形成されている。光学部は、光出射部と、この光出射部から出射された光を合波する光合波部とからなる。光出射部は、４つの光源装置（半導体レーザ）と、４つの光学レンズ（コリメートレンズ）と、２つの光反射板と、２つの波長選択フィルタとを有し、光合波部は、１つの光反射板と１つの偏波選択フィルタとを有している。波長選択フィルタは、所定の波長の光を反射し、それ以外の波長の光を透過させる機能を有している。
【０００４】
４つの光源装置からそれぞれ出射された光は、４つの光学レンズによってコリメート光に変換され、光出射部の２つの光反射板及び２つの波長選択フィルタによって第１の合波光及び第２の合波光に合波される。光出射部から出射された第１の合波光及び第２の合波光は、さらに光合波部で一つの合波光に合波され、スリーブ内に配置されたアイソレータ及び光学レンズを経て、スリーブに挿入された光ファイバに入射する。
【先行技術文献】
【特許文献】
【０００５】
【特許文献１】特開２０１３−１４５３５６号公報
【発明の概要】
【発明が解決しようとする課題】
【０００６】
特許文献１に記載の光通信モジュールにおいて、複数の光源装置から出射され、合波された合波光を効率的に光ファイバに入射させるためには、複数の光源装置や複数の光学レンズ、ならびに複数の光反射板や波長選択フィルタ等の光学部の構成部品を正確に位置決めしなければならない。この位置決めの作業は、光学部における構成部品の数が多くなるほど困難となり、組み付け時間ならびにコストの増大を招来していた。
【０００７】
そこで、本発明は、部品点数を抑制し、以って生産性を向上させることが可能な光モジュールを提供することを目的とする。
【課題を解決するための手段】
【０００８】
本発明は、上記課題を解決することを目的として、光を発光又は受光する複数の光素子と、所定の透過帯域の波長の光を透過させると共に所定の反射帯域の波長の光を反射するミラー部ならびに前記光素子に対向するレンズ部を有し、前記複数の光素子のそれぞれに対応して配置された複数の光学部材とを備え、前記複数の光素子は、互いに波長が異なる光を発光又は受光し、前記複数の光学部材は、前記レンズ部によって前記光素子が発光又は受光する光を平行化又は集光すると共に、前記ミラー部によって前記複数の光素子が発光又は受光する光を合波又は分波するように位置決めして配置された、光モジュールを提供する。
【発明の効果】
【０００９】
本発明に係る光モジュールによれば、部品点数を抑制し、以って生産性を向上させることが可能となる。
【図面の簡単な説明】
【００１０】
【図１】本発明の第１の実施の形態に係る光モジュールの構成を示す斜視図である。
【図２】（ａ）は、レンズ付きフィルタを示す斜視図であり、（ｂ）は、（ａ）とは反対側から見たレンズ付きフィルタの斜視図である。（ｃ）は、レンズ付きフィルタの側面図である。
【図３】（ａ）は、光学系の構成を示す平面図である。（ｂ）は、（ａ）の一部拡大図である。
【図４】光学系を組み付ける前の基台、及び基台に搭載された複数の光素子、反射部材、及び駆動素子を示す平面図である。
【図５】第４のレンズ付きフィルタの組み付け工程を示す説明図である。
【図６】第３のレンズ付きフィルタの組み付け工程を示す説明図である。
【図７】第２のレンズ付きフィルタの組み付け工程を示す説明図である。
【図８】本発明の第２の実施の形態に係る光学系を示す平面図である。
【図９】基台の搭載面に搭載された複数の光素子ならびに及び第１及び第２の駆動素子と、最初に組み付けられる１つのレンズ付きフィルタとを示す平面図である。
【図１０】図９の図示内容に加え、２番目に組み付けられるレンズ付きフィルタを示す平面図である。
【図１１】変形例に係るレンズ付きフィルタを用いた光学系の一部を示す平面図である。
【図１２】変形例に係る光素子を用いた光学系の一部を示す模式図である。
【発明を実施するための形態】
【００１１】
［第１の実施の形態］
図１は、本発明の第１の実施の形態に係る光モジュールの構成を示す斜視図である。
【００１２】
（光モジュールの構成）
本実施の形態では、光モジュール１が波長分割多重通信における光信号送信用の光学系１０を備えている。この光モジュール１は、図１に示すように、内部に収容空間１１ａを有するケース部材１１と、フェルール９０及びこのフェルール９０に保持された光ファイバ９１の一端部を収容するスリーブ１２と、収容空間１１ａに収容された基台１３と、基台１３に搭載された光学系１０及び増幅素子１４と、スリーブ１２に保持された光アイソレータ１５及びレンズ１６とを備えている。
【００１３】
ケース部材１１は、直方体状であり、その一つの側面にスリーブ１２が結合されている。この側面には、光を通過させる光通過孔１１１が形成されている。また、スリーブ１２が結合された側面と反対側の側面にはスリット１１２が形成され、このスリット１１２を介して板状の配線部材６の一端部が収容空間１１ａ内に導入されている。基台１３は、ケース部材１１における収容空間１１ａの底面１１ｂに例えば接着によって固定されている。なお、ケース部材１１は、図１に示す本体と、この本体の開口を閉塞する蓋体とを有するが、図１では、この蓋体の図示を省略し、収容空間１１ａの内部を図示している。
【００１４】
光学系１０は、互いに波長が異なる光を発する複数（本実施の形態では４つ）の光素子２０と、これら複数の光素子２０のそれぞれに対応して配置された複数（本実施の形態では４つ）の光学部材としてのレンズ付きフィルタ３０と、レンズ付きフィルタ３０を透過した光を反射する反射部材４０とを有している。
【００１５】
光素子２０、レンズ付きフィルタ３０、及び反射部材４０は、基台１３に搭載され、接着剤によって固定されている。反射部材４０は、複数のレンズ付きフィルタ３０に対向する平面が光を反射する反射面４０ａとして形成されている。複数のレンズ付きフィルタ３０は、反射部材４０の反射面４０ａと平行な配列方向に沿って列状に配置されている。
【００１６】
本実施の形態では、光素子２０が発光素子（レーザーダイオード）であり、増幅素子１４から駆動電流の供給を受けてレーザー光を発する。光素子２０は、光素子接続用の複数のボンディングワイヤ５１によって増幅素子１４と電気的に接続されている。
【００１７】
増幅素子１４は、線路接続用の複数のボンディングワイヤ５２によって配線部材６の第１乃至第４の信号線路６１〜６４と電気的に接続されている。第１乃至第４の信号線路６１〜６４は、それぞれが差動信号線路からなる。第１乃至第４の信号線路６１〜６４は、ケース部材１１内における一端部にボンディングワイヤ５２が結線され、他端部は図略の回路基板に接続されている。
【００１８】
配線部材６は、例えばセラミック等の絶縁体からなる基板６０の一方の主面６０ａに第１乃至第４の信号線路６１〜６４が形成され、他方の主面６０ｂには、その略全体にグランドパターンが面状に形成されている。また、基板６０の一方の主面６０ａには、増幅素子１４への電源供給のための電源パターン６５が形成され、この電源パターン６５が電源接続用の複数のボンディングワイヤ５３によって増幅素子１４と電気的に接続されている。なお、基板６０をポリイミド等の可撓性を有する樹脂材料から形成してもよい。この場合、配線部材６は、フレキシブル基板として構成される。
【００１９】
基台１３は、その搭載面１３ａ上に複数の光素子２０、複数のレンズ付きフィルタ３０、１つの反射部材４０、及び増幅素子１４が搭載されている。基台１３の材質としては、導電性及び熱伝導性に優れた鉄系金属を好適に用いることができる。なお、基台１３は、セラミックや樹脂等の絶縁体によって構成されていてもよい。また、絶縁体からなる基材の搭載面１３ａ側に導電層を形成したものであってもよい。
【００２０】
また、基台１３の搭載面１３ａには、配線部材６のグランドパターンが例えば銀ペーストによって接続されている。これにより、搭載面１３ａが電気的に接地されている。この搭載面１３ａには、一端が増幅素子１４のグランド電極に接続されたグランド接続用の複数のボンディングワイヤ５４の他端が結線されている。そして、増幅素子１４は、第１乃至第４の信号線路６１〜６４によって伝送された電気信号に応じて複数の光素子２０に駆動電流を供給し、複数の光素子２０を発光させる。この駆動電流は、第１乃至第４の信号線路６１〜６４によって伝送された電気信号（電圧信号）を増幅及び変換して電流信号としたものである。
【００２１】
（レンズ付きフィルタの構成）
図２（ａ）は、レンズ付きフィルタ３０を示す斜視図であり、図２（ｂ）は、図２（ａ）とは反対側から見たレンズ付きフィルタ３０の斜視図である。図２（ｃ）は、レンズ付きフィルタ３０の側面図である。
【００２２】
レンズ付きフィルタ３０は、透光性を有する多面体状の基部３００の第１の側面３００ａにミラー部３０１が形成され、ミラー部３０１が形成された第１の側面３００ａとは異なる第２の側面３００ｂにレンズ部３０２が設けられている。本実施の形態では、基部３００が石英ガラスやＢＫ７光学ガラス等のガラスからなる直方体状の６面体であり、第２の側面３００ｂは、第１の側面３００ａの反対側の面（反対面）にあたる。
【００２３】
ミラー部３０１は、平面状の第１の側面３００ａに形成された多層膜フィルタによって構成され、所定の透過帯域の波長の光を透過させると共に所定の反射帯域の波長の光を反射する。この透過帯域及び反射帯域の波長は、複数のレンズ付きフィルタ３０ごとに異なっている。
【００２４】
レンズ部３０２は、第２の側面３００ｂに対して中心部が凸となるように膨出した球面レンズである。このレンズ部３０２は、基部３００と一体でもよく、基部３００とは別体で、基部３００の第２の側面３００ｂに接着等によって結合されていてもよい。すなわち、レンズ付きフィルタ３０は、基部３００にミラー部３０１及びレンズ部３０２が一体化され、ミラー部３０１とレンズ部３０２との相対的な位置が固定されていればよい。なお、レンズ部３０２を別体とし、このレンズ部３０２を基部３００に結合してレンズ付きフィルタ３０を構成する場合には、レンズ部３０２を成型性に優れたアクリル等の樹脂によって形成することができる。
【００２５】
レンズ付きフィルタ３０は、レンズ部３０２が光素子２０に対向するように配置される。また、レンズ付きフィルタ３０は、基部３００の下面３００ｅが基台１３に固定され、この下面３００ｅの反対面にあたる上面３００ｆは、ケース部材１１の図略の蓋体に対向する。また、下面３００ｅと上面３００ｆとの間の第３の側面３００ｃ及び第４の側面３００ｄは、レンズ付きフィルタ３０の組み付けの際に把持具によって把持される被把持面である。
【００２６】
（光学系の構成）
図３（ａ）は、光学系１０の構成を示す平面図である。図３（ｂ）は、図３（ａ）の一部拡大図である。図３（ａ）では、光素子２０の信号光の光路を、一点鎖線で示す光軸によって図示し、ボンディングワイヤ５１〜５４の図示を省略している。ここで、信号光とは、光ファイバを伝送媒体として送信又は受信される信号に応じて制御される光である。
【００２７】
４つのレンズ付きフィルタ３０は、それぞれが同様の構成を有しているが、以下の説明において各レンズ付きフィルタ３０を特定する必要がある場合には、４つのレンズ付きフィルタ３０のそれぞれを第１乃至第４のレンズ付きフィルタ３１〜３４という。同様に、４つの光素子２０のそれぞれを特定する必要がある場合には、４つの光素子２０のそれぞれを第１乃至第４の光素子２１〜２４という。
【００２８】
第１乃至第４のレンズ付きフィルタ３１〜３４は、第１乃至第４の光素子２１〜２４にそれぞれ対応して配置されている。より具体的には、第１のレンズ付きフィルタ３１は、第１の光素子２１に対応し、第１の光素子２１から発した信号光Ｌ１が第１のレンズ付きフィルタ３１のレンズ部３０２に入射する。同様に、第２のレンズ付きフィルタ３２は、第２の光素子２２に対応し、第３のレンズ付きフィルタ３３は、第３の光素子２３に対応する。また、第４のレンズ付きフィルタ３４は、第４の光素子２４に対応する。第２乃至第３の光素子２２〜２４から発した信号光Ｌ２〜Ｌ４は、第２乃至第４のレンズ付きフィルタ３２〜３４のレンズ部３０２にそれぞれ入射する。第１乃至第４の光素子２１〜２４の信号光Ｌ１〜Ｌ４は、第１乃至第４の信号線路６１〜６４を伝搬する電気信号が光電変換された光信号である。
【００２９】
第１乃至第４の光素子２１〜２４から出射されてレンズ部３０２に向かう光は拡散光であり、この拡散光がレンズ部３０２によって平行化され、コリメート光に変換される。コリメート光に変換された第１乃至第４の光素子２１〜２４の信号光Ｌ１〜Ｌ４は、基部３００内を進み、ミラー部３０１を透過して第１乃至第４のレンズ付きフィルタ３１〜３４から出射される。
【００３０】
第１乃至第４のレンズ付きフィルタ３１〜３４は、ミラー部３０１が反射部材４０の反射面４０ａと平行となるように、列状に配置されている。反射部材４０は、反射面４０ａによって、第１乃至第３のレンズ付きフィルタ３１〜３３のミラー部３０１を透過した光を反射する。第４のレンズ付きフィルタ３４のミラー部３０１を透過した光は、図１に示すケース部材１１の光通過孔１１１を通過し、光アイソレータ１５及びレンズ１６を透過して光ファイバ９１のコアに入射する。
【００３１】
第１乃至第４のレンズ付きフィルタ３１〜３４のレンズ部３０２を透過する第１乃至第４の光素子２１〜２４の信号光Ｌ１〜Ｌ４の光路は、レンズ部３０２の中心軸に対して傾斜している。図３（ｂ）では、第１乃至のレンズ付きフィルタ３１のレンズ部３０２の中心軸Ａ１を一点鎖線で示している。このレンズ部３０２を透過する第１の光素子２１の信号光Ｌ１は、その全体がレンズ部３０２の凸球面状のレンズ面３０２ａに入射するが、第１の光素子２１の信号光Ｌ１の光路の中心軸Ａ２は、レンズ部３０２の中心軸Ａ１に対して傾斜している。この傾斜角θは、例えば５〜１５°である。第２乃至第４の光素子２２〜２４の信号光Ｌ２〜Ｌ４についても同様に、その光路の中心軸がレンズ部３０２の中心軸Ａ１に対して傾斜している。
【００３２】
この構成により、第１乃至第３のレンズ付きフィルタ３１〜３３のミラー部３０１から出射される光は、ミラー部３０１に対して傾斜した方向に進み、反射部材４０の反射面４０ａで反射され、隣り合う他のレンズ付きフィルタ３０（第２乃至第４のレンズ付きフィルタ３２〜３４）のミラー部３０１に入射する。
【００３３】
なお、本実施の形態では、基部３００が直方体からなり、第１の側面３００ａと第２の側面３００ｂとが互いに平行であるが、基部３００を第１の側面３００ａと第２の側面３００ｂとが非平行である多面体とすれば、第１乃至第４の光素子２１〜２４の信号光Ｌ１〜Ｌ４の光路の中心軸をレンズ部３０２の中心軸Ａ１に一致させることも可能である。ただし、基部３００を直方体とすれば、第１乃至第４のレンズ付きフィルタ３１〜３４の製造が容易となり、低コスト化に寄与し得る。
【００３４】
このように、第１乃至第４のレンズ付きフィルタ３１〜３４は、レンズ部３０２によって第１乃至第４の光素子２１〜２４が発光する光を平行化すると共に、ミラー部３０１によって第１乃至第４の光素子２１〜２４が発光する光を合波するように位置決めして配置されている。これにより、光学系１０では、第１乃至第３のレンズ付きフィルタ３１〜３３のミラー部３０１を透過した光が、反射部材４０の反射面４０ａで反射して隣り合うレンズ付きフィルタ３０（第２乃至第４のレンズ付きフィルタ３２〜３４）のミラー部３０１に入射することで、第１乃至第４の光素子２１〜２４の信号光が重畳される。以下、この光学系１０の動作について、より具体的に説明する。
【００３５】
（光学系の動作）
第１の光素子２１の信号光Ｌ１は、第１のレンズ付きフィルタ３１のレンズ部３０２に入射してコリメート光に変換され、第１のレンズ付きフィルタ３１のミラー部３０１を透過する。第１のレンズ付きフィルタ３１のミラー部３０１を透過した第１の光素子２１の信号光Ｌ１は、反射部材４０の反射面４０ａで反射され、第２のレンズ付きフィルタ３２のミラー部３０１に向かって進む。
【００３６】
第２の光素子２２の信号光Ｌ２は、第２のレンズ付きフィルタ３２のレンズ部３０２に入射してコリメート光に変換され、第２のレンズ付きフィルタ３２のミラー部３０１を透過する。また、反射部材４０の反射面４０ａで反射した第１の光素子２１の信号光Ｌ１は、第２のレンズ付きフィルタ３２のミラー部３０１で反射する。すなわち、第２のレンズ付きフィルタ３２のミラー部３０１は、第１の光素子２１の信号光Ｌ１の波長の光を反射し、第２の光素子２２の信号光Ｌ２の波長の光を透過させる特性を有している。
【００３７】
第２のレンズ付きフィルタ３２のミラー部３０１を透過した第２の光素子２２の信号光Ｌ２は、第２のレンズ付きフィルタ３２のミラー部３０１で反射した第１の光素子２１の信号光Ｌ１と重畳され、反射部材４０の反射面４０ａに向かって進む。反射部材４０は、この第１及び第２の光素子２１，２２の信号光Ｌ１，Ｌ２が重畳された重畳光Ｌ１２を第３のレンズ付きフィルタ３３のミラー部３０１に向かって反射する。
【００３８】
第３の光素子２３の信号光Ｌ３は、第３のレンズ付きフィルタ３３のレンズ部３０２に入射してコリメート光に変換され、第３のレンズ付きフィルタ３３のミラー部３０１を透過する。また、反射部材４０の反射面４０ａで反射した重畳光Ｌ１２は、第３のレンズ付きフィルタ３３のミラー部３０１で反射する。すなわち、第３のレンズ付きフィルタ３３のミラー部３０１は、第１及び第２の光素子２１，２２の信号光Ｌ１，Ｌ２の波長の光を反射し、第３の光素子２３の信号光Ｌ３の波長の光を透過させる特性を有している。
【００３９】
第３のレンズ付きフィルタ３３のミラー部３０１を透過した第３の光素子２３の信号光Ｌ３は、第３のレンズ付きフィルタ３３のミラー部３０１で反射した重畳光Ｌ１２と重畳され、反射部材４０の反射面４０ａに向かって進む。反射部材４０は、この第１乃至第３の光素子２１〜２３の信号光Ｌ１，Ｌ２，Ｌ３が重畳された重畳光Ｌ１２３を第４のレンズ付きフィルタ３４のミラー部３０１に向かって反射する。
【００４０】
第４の光素子２４の信号光Ｌ４は、第４のレンズ付きフィルタ３４のレンズ部３０２に入射してコリメート光に変換され、第４のレンズ付きフィルタ３４のミラー部３０１を透過する。また、反射部材４０の反射面４０ａで反射した重畳光Ｌ１２３は、第４のレンズ付きフィルタ３４のミラー部３０１で反射する。すなわち、第４のレンズ付きフィルタ３４のミラー部３０１は、第１乃至第３の光素子２１〜２３の信号光Ｌ１，Ｌ２，Ｌ３の波長の光を反射し、第４の光素子２４の信号光Ｌ４の波長の光を透過させる特性を有している。
【００４１】
第４のレンズ付きフィルタ３４のミラー部３０１を透過した第４の光素子２４の信号光Ｌ４は、第４のレンズ付きフィルタ３４のミラー部３０１で反射した重畳光Ｌ１２３と重畳されて重畳光Ｌ１２３４となり、ケース部材１１の光通過孔１１１（図１に示す）に向かって進む。そして、光アイソレータ１５及びレンズ１６を透過して光ファイバ９１のコアに入射する。この重畳光Ｌ１２３４は、光ファイバ９１を信号伝送媒体とする波長分割多重通信を行うためのＷＤＭ（Wavelength Division Multiplexing）光信号である。
【００４２】
（光モジュールの製造方法）
次に、図４乃至７を参照して、光モジュール１の製造方法について説明する。ここでは、特に光学系１０の組み付け手順について説明する。
【００４３】
光学系１０の組み付けは、光モジュール１の製造工程の最終段階で行われる。なお、光モジュール１における光学系１０以外の部分の組み立ては、周知の手法によって行うことができる。
【００４４】
図４は、光学系１０を組み付ける前の基台１３、及び基台１３の搭載面１３ａに搭載された第１乃至第４の光素子２１〜２４、反射部材４０、及び増幅素子１４を示す平面図である。
【００４５】
光学系１０の組み付けは、基台１３の搭載面１３ａ上に第１乃至第４の光素子２１〜２４、反射部材４０、及び増幅素子１４を所定の位置に配置及び固定し、ボンディングワイヤ５１〜５４で増幅素子１４の電極を各部に接続した後に行う。なお、図４乃至図７では、ボンディングワイヤ５１〜５４及び配線部材６の図示を省略している。
【００４６】
光学系１０の組み付け工程では、光ファイバ９１に入射するＷＤＭ光信号の生成過程において最後に重畳される第４の光素子２４の信号光Ｌ４を透過させる第４のレンズ付きフィルタ３４を最初に組み付け、その後、第３のレンズ付きフィルタ３３、第２のレンズ付きフィルタ３２、及び第１のレンズ付きフィルタ３１を順次組み付ける。以下、これら第１乃至第４のレンズ付きフィルタ３１〜３４の組み付け手順について、順を追って説明する。
【００４７】
図５は、第４のレンズ付きフィルタ３４の組み付け工程を示す説明図である。この工程では、第４の光素子２４を発光させ、第４の光素子２４の信号光Ｌ４が光ファイバ９１のコアに入射するように、第４のレンズ付きフィルタ３４を位置決めして固定する。第４のレンズ付きフィルタ３４の組み付けに際しては、予め基台１３の搭載面１３ａにおける第４のレンズ付きフィルタ３４の搭載位置の周辺に紫外線硬化型接着剤を塗布しておき、第４のレンズ付きフィルタ３４の基部３００を把持具によって把持して位置決めを行い、位置決め完了後に紫外線を照射して紫外線硬化型接着剤を固化させる。
【００４８】
第４のレンズ付きフィルタ３４は、そのミラー部３０１が反射部材４０の反射面４０ａと平行である状態を維持しつつ、光ファイバ９１の他端部においてコアから出射される第４の光素子２４の信号光Ｌ４の強度が最大となるように位置決めされる。この際、第４のレンズ付きフィルタ３４は、基台１３の搭載面１３ａに平行な方向、及び搭載面１３ａに垂直な方向の位置が調節される。この第４のレンズ付きフィルタ３４の位置の調節は、作業者の手作業によって行ってもよく、直交三軸方向に移動可能な移動台あるいは調心装置によって行ってもよい。
【００４９】
図６は、第３のレンズ付きフィルタ３３の組み付け工程を示す説明図である。第３のレンズ付きフィルタ３３の組み付けは、第４のレンズ付きフィルタ３４を固定した後に行われる。
【００５０】
この第３のレンズ付きフィルタ３３の組み付けでは、第３の光素子２３を発光させ、第３の光素子２３の信号光Ｌ３が反射部材４０の反射面４０ａ及び第４のレンズ付きフィルタ３４のミラー部３０１で反射して光ファイバ９１のコアに入射するように、第３のレンズ付きフィルタ３３を位置決めして固定する。
【００５１】
第３のレンズ付きフィルタ３３は、そのミラー部３０１が反射部材４０の反射面４０ａと平行である状態を維持しつつ、光ファイバ９１の他端部においてコアから出射される第３の光素子２３の信号光Ｌ３の強度が最大となるように位置決めされる。第３のレンズ付きフィルタ３３の固定は、第４のレンズ付きフィルタ３４と同様に、位置決め完了後に紫外線硬化型接着剤を固化させることにより行う。
【００５２】
図７は、第２のレンズ付きフィルタ３２の組み付け工程を示す説明図である。第２のレンズ付きフィルタ３２の組み付けは、第３のレンズ付きフィルタ３３を固定した後に行われる。
【００５３】
この第２のレンズ付きフィルタ３２の組み付けでは、第２の光素子２２を発光させ、第２の光素子２２の信号光Ｌ２が反射部材４０の反射面４０ａ、第３のレンズ付きフィルタ３３のミラー部３０１、反射部材４０の反射面４０ａ、及び第４のレンズ付きフィルタ３４のミラー部３０１で順次反射して光ファイバ９１のコアに入射するように、第２のレンズ付きフィルタ３２を位置決めして固定する。
【００５４】
第２のレンズ付きフィルタ３２は、そのミラー部３０１が反射部材４０の反射面４０ａと平行である状態を維持しつつ、光ファイバ９１の他端部においてコアから出射される第２の光素子２２の信号光Ｌ２の強度が最大となるように位置決めされる。第２のレンズ付きフィルタ３２の固定は、第３及び第４のレンズ付きフィルタ３３，３４と同様に、位置決め完了後に紫外線硬化型接着剤を固化させることにより行う。そして、第２乃至第４のレンズ付きフィルタ３２〜３４を固定した後、第１のレンズ付きフィルタ３１を組み付ける。
【００５５】
第１のレンズ付きフィルタ３１の組み付けでは、第１の光素子２１を発光させ、第１の光素子２１の信号光Ｌ１が反射部材４０の反射面４０ａ、第２のレンズ付きフィルタ３２のミラー部３０１、反射部材４０の反射面４０ａ、第３のレンズ付きフィルタ３３のミラー部３０１、反射部材４０の反射面４０ａ、及び第４のレンズ付きフィルタ３４のミラー部３０１で順次反射して光ファイバ９１のコアに入射するように、第１のレンズ付きフィルタ３１を位置決めして固定する。
【００５６】
第１のレンズ付きフィルタ３１は、そのミラー部３０１が反射部材４０の反射面４０ａと平行である状態を維持しつつ、光ファイバ９１の他端部においてコアから出射される第１の光素子２１の信号光Ｌ１の強度が最大となるように位置決めされる。第１のレンズ付きフィルタ３１の固定は、第２乃至第４のレンズ付きフィルタ３２〜３４と同様に、位置決め完了後に紫外線硬化型接着剤を固化させることにより行う。
【００５７】
以上の各工程により、図３（ａ）に示すように第１乃至第４のレンズ付きフィルタ３１〜３４が組み付けられ、光学系１０が構成される。
【００５８】
（第１の実施の形態の作用及び効果）
以上説明した第１の実施の形態によれば、以下のような作用及び効果が得られる。
【００５９】
（１）レンズ付きフィルタ３０（第１乃至第４のレンズ付きフィルタ３１〜３４）は、ミラー部３０１及びレンズ部３０２を有する一部品として構成されているので、光学系１０を構成する部品の部品点数を抑制することができ、また生産性を向上させることが可能となる。つまり、仮にレンズ付きフィルタ３０に替えてミラーとレンズとを独立した部材とし有する光学系を構成した場合には、部品点数が増大すると共に、これらの各部材をそれぞれ位置決めして固定する作業工数が増大し、生産性の低下を招来してしまうが、本実施の形態では、ミラー部３０１及びレンズ部３０２を有するレンズ付きフィルタ３０を用いることにより、部品点数及び作業工数を削減している。
【００６０】
（２）レンズ付きフィルタ３０は、透光性を有する多面体状の基部３００の第１の側面３００ａにミラー部３０１が形成され、第２の側面３００ｂにレンズ部３０２が設けられているので、レンズ付きフィルタ３０（第１乃至第４のレンズ付きフィルタ３１〜３４）の位置決めの際には、基部３００を把持して位置を調整することができる。また、レンズ付きフィルタ３０は、基部３００の下面３００ｅが接着剤によって基台１３の搭載面１３ａに固定されるので、基台１３への固定を確実に行うことができる。
【００６１】
（３）本実施の形態では、基部３００が直方体状であるので、その製造が容易である。また、第１乃至第４の光素子２１〜２４の信号光Ｌ１〜Ｌ４の光路がレンズ部３０２の中心軸に対して傾斜しているので、第１乃至第４の光素子２１〜２４の信号光Ｌ１〜Ｌ４がミラー部３０１に対して傾斜した方向に出射され、反射部材４０の反射面４０ａで反射して隣り合うレンズ付きフィルタ３０のミラー部３０１に入射する。これにより、図３（ａ）を参照して説明したように、第１乃至第４の光素子２１〜２４の信号光Ｌ１〜Ｌ４が順次重畳され、ＷＤＭ光信号を生成することができる。
【００６２】
（４）第１乃至第４のレンズ付きフィルタ３１〜３４は、それぞれのミラー部３０１が反射部材４０の反射面４０ａと平行に位置決めされるので、第１乃至第４の光素子２１〜２４の信号光Ｌ１〜Ｌ４を精度よく重畳させることができる。つまり、第１乃至第４のレンズ付きフィルタ３１〜３４のそれぞれのミラー部３０１は、反射部材４０の反射面４０ａと平行な一つの仮想面上にあり、例えば第１のレンズ付きフィルタ３１を位置決めする際には、第１のレンズ付きフィルタ３１のミラー部３０１を透過して反射部材４０の反射面４０ａで反射した第１の光素子２１の信号光Ｌ１と、第２のレンズ付きフィルタ３２のミラー部３０１を透過した第２の光素子２２の信号光Ｌ２とが重畳されるように位置決めを行えば、その後の第３及び第４のレンズ付きフィルタ３３，３４のミラー部３０１での反射時に第３及び第４の光素子２３，２４の信号光Ｌ３，Ｌ４と順次重畳され、ＷＤＭ光信号が生成される。すなわち、本実施の形態では、第１乃至第４のレンズ付きフィルタ３１〜３４の位置及び角度の自由度をミラー部３０１が反射部材４０の反射面４０ａと平行となるように敢えて制限することで、第１乃至第４のレンズ付きフィルタ３１〜３４の位置決めを容易化している。
【００６３】
［第２の実施の形態］
次に、本発明の第２の実施の形態について、図８乃至図１０を参照して説明する。本実施の形態に係る光モジュールは、基台１３上における光学系及びその周辺部の構成が第１の実施の形態と異なり、その他は第１の実施の形態に係る光モジュール１と同様に構成されている。以下、この違いの部分について重点的に説明する。
【００６４】
図８は、本実施の形態に係る光学系１００を示す平面図である。本実施の形態において、複数のレンズ付きフィルタ３０は、それぞれのミラー部３０１同士が向かい合うように複列に配置され、複数の光素子２０は、複列に配置されたレンズ付きフィルタ３０のそれぞれのレンズ部３０２に対向するように複列に配置されている。
【００６５】
これら複数の光素子２０は、互いに波長が異なる光を対応するレンズ付きフィルタ３０のレンズ部３０２に向かって発光する。そして、複列に配置された複数のレンズ付きフィルタ３０のうち一方列のレンズ付きフィルタ３０のミラー部３０１を透過した光が他方列のレンズ付きフィルタ３０のミラー部３０１で反射することにより、複数の光素子２０の信号光が順次重畳される。
【００６６】
本実施の形態に係る光学系１００は、１６個の光素子２０と、同じく１６個のレンズ付きフィルタ３０とを有している。１６個の光素子２０は、それぞれ８個ずつの光素子２０からなる第１光素子列２０Ａ及び第２光素子列２０Ｂを構成し、第１光素子列２０Ａの８個の光素子２０と第２光素子列２０Ｂの８個の光素子２０との間に、１６個のレンズ付きフィルタ３０が複列に配置されている。第１光素子列２０Ａの８個の光素子２０は、図略のボンディングワイヤを介して第１の増幅素子１４１から駆動電流の供給を受け、第２光素子列２０Ｂの８個の光素子２０は、図略のボンディングワイヤを介して第２の増幅素子１４２から駆動電流の供給を受けて発光する。
【００６７】
１６個のレンズ付きフィルタ３０は、それぞれ８個ずつのレンズ付きフィルタ３０からなる第１フィルタ列３０Ａ及び第２フィルタ列３０Ｂを構成する。第１フィルタ列３０Ａの８個のレンズ付きフィルタ３０は、第１光素子列２０Ａの８個の光素子２０にそれぞれ対応し、第２フィルタ列３０Ｂの８個のレンズ付きフィルタ３０は、第２光素子列２０Ｂの８個の光素子２０にそれぞれ対応する。
【００６８】
第１フィルタ列３０Ａの８個のレンズ付きフィルタ３０のミラー部３０１と、第２フィルタ列３０Ｂの８個のレンズ付きフィルタ３０のミラー部３０１とは、互いに平行である。また、第１の実施の形態と同様に、各光素子２０の信号光の光路は、レンズ部３０２の中心軸に対して傾斜している。またさらに、複数のレンズ付きフィルタ３０のミラー部３０１は、対応する光素子２０の信号光を透過させ、それ以外の光素子２０の信号光を反射する。これにより、各光素子２０の信号光は、レンズ付きフィルタ３０のミラー部３０１での反射によって順次重畳される。そして、第１フィルタ列３０Ａの一方の端部におけるレンズ付きフィルタ３０において、最終的に１６個の光素子２０の全ての信号光が重畳され、この重畳光がＷＤＭ光信号として光ファイバのコアに入射する。
【００６９】
この光学系１００の組み付けは、基台１３の搭載面１３ａ上に１６個の光素子２０ならびに第１及び第２の増幅素子１４１，１４２を所定の位置に配置及び固定し、図略のボンディングワイヤで第１及び第２の増幅素子１４１，１４２と各光素子２０とを電気的に接続し、各光素子２０を発光可能な状態とした後に行う。
【００７０】
また、光学系１００の組み付けは、第１の実施の形態に係る光学系１０の組み付けと同様に、ＷＤＭ光信号の生成過程において最後に重畳される光素子２０の信号光を透過させるレンズ付きフィルタ３０を最初に組み付け、その後、信号光の重畳順序を遡るように各レンズ付きフィルタ３０を組み付ける。
【００７１】
図９は、基台１３の搭載面１３ａに搭載された複数の光素子２０ならびに及び第１及び第２の増幅素子１４１，１４２と、最初に基台１３に組み付けられる１つのレンズ付きフィルタ３０とを示す平面図である。図１０は、図９の図示内容に加え、２番目に組み付けられるレンズ付きフィルタ３０を示す平面図である。
【００７２】
図９に示すレンズ付きフィルタ３０は、第１フィルタ列３０Ａに属するものであり、そのミラー部３０１が第１光素子列２０Ａ及び第２光素子列２０Ｂにおける複数の光素子２０の並び方向と平行で、かつ対応する光素子２０の信号光が光ファイバのコアに入射する位置に位置決めされ、例えば紫外線硬化型接着剤によって固定される。
【００７３】
２番目に組み付けられるレンズ付きフィルタ３０は、図１０に示すように、そのミラー部３０１が最初に組み付けられたレンズ付きフィルタ３０のミラー部３０１と平行で、かつ対応する光素子２０の信号光が最初に組み付けられたレンズ付きフィルタ３０のミラー部３０１で反射して光ファイバのコアに入射する位置に位置決めされる。このレンズ付きフィルタ３０は、第２フィルタ列３０Ｂに属し、その一方の端部に配置されるものである。
【００７４】
以下、第１フィルタ列３０Ａの複数のレンズ付きフィルタ３０、及び第２フィルタ列３０Ｂの複数のレンズ付きフィルタ３０を順次交互に組み付け、光学系１００を構成する。最後に組み付けられる第２フィルタ列３０Ｂの他方の端部におけるレンズ付きフィルタ３０のミラー部３０１を透過した光は、他の１５個のレンズ付きフィルタ３０のそれぞれのミラー部３０１で反射して、光ファイバのコアに入射する。すなわち、本実施の形態におけるＷＤＭ光信号は、１６波多重の波長分割多重通信を行うための光信号である。
【００７５】
（第２の実施の形態の作用及び効果）
以上説明した第２の実施の形態によれば、第１の実施の形態の作用及び効果と同様の作用及び効果に加え、複数の光素子２０及び複数のレンズ付きフィルタ３０が複列に配置され、各光素子２０の信号光が複列に配置された複数のレンズ付きフィルタ３０のミラー部３０１での反射によって重畳されるので、基台１３の大型化を抑制しながら、より多くの光信号を重畳させることができる。
【００７６】
［第３の実施の形態］
次に、本発明の第３の実施の形態について説明する。本実施の形態に係る光モジュールは、光信号の受信に用いられる点で第１の実施の形態に係る光モジュールと機能を異にしているが、第１の実施の形態に係る光モジュールの各構成部品にそれぞれ対応する構成部品を有して構成されている。このため、第１の実施の形態の説明において参照した図１〜図７を援用して以下説明する。
【００７７】
本実施の形態に係る光モジュール１は、光素子２０が光を受光して電気信号に変換する受光素子（フォトダイオード）であり、この電気信号が増幅素子１４で増幅され、配線部材６の第１乃至第４の信号線路６１〜６４によって伝送される。光学系１０は、光ファイバ９１から出射されたＷＤＭ光信号を波長帯域ごとに分波し、分波信号光をレンズ部３０２から出射して複数の光素子２０に受光させる。
【００７８】
つまり、本実施の形態に係る光学系１０は、複数の光素子２０のそれぞれに対応して配置された複数のレンズ付きフィルタ３０を備え、各レンズ付きフィルタ３０のレンズ部３０２によって光素子２０が受光する光を集光すると共に、複数のレンズ付きフィルタ３０のミラー部３０１によって複数の光素子２０が受光する光を分波するように位置決めして配置されている。これにより、複数の光素子２０は、互いに波長が異なる光を受光する。
【００７９】
次に、本実施の形態に係る光モジュール１における光学系１０の動作について、図３を参照して説明する。本実施の形態の光学系１０では、光の進行方向が第１の実施の形態と逆向きであるが、光の経路は共通である。本実施の形態において、光ファイバ９１から出射される光は、複数の光素子２０（第１乃至第４の光素子２１〜２４）でそれぞれ受光される第１乃至第４の分波信号光Ｌ１〜Ｌ４が合波された４波多重のＷＤＭ光信号（波長分割多重光）である。
【００８０】
光ファイバ９１から出射されたＷＤＭ光信号は、第４のレンズ付きフィルタ３４のミラー部３０１に入射する。第４のレンズ付きフィルタ３４のミラー部３０１は、第４の光素子２４で受光される第４の分波信号光Ｌ４を透過させると共に、第１乃至第３の光素子２１〜２３で受光される第１乃至第３の分波信号光Ｌ１〜Ｌ３の波長の光を反射する特性を有している。第４のレンズ付きフィルタ３４のミラー部３０１を透過した第４の分波信号光Ｌ４は、第４のレンズ付きフィルタ３４のレンズ部３０２で集光され、第４の光素子２４に受光される。
【００８１】
第４のレンズ付きフィルタ３４のミラー部３０１で反射された重畳光Ｌ１２３（第１乃至第３の分波信号光Ｌ１〜Ｌ３が重畳された光信号）は、反射部材４０の反射面４０ａで再度反射され、第３のレンズ付きフィルタ３３のミラー部３０１に入射する。第３のレンズ付きフィルタ３３のミラー部３０１は、第３の光素子２３で受光される第３の分波信号光Ｌ３を透過させると共に、第１及び第２の光素子２１，２２で受光される第１及び第２の分波信号光Ｌ１〜Ｌ２の波長の光を反射する特性を有している。第３のレンズ付きフィルタ３３のミラー部３０１を透過した第３の分波信号光Ｌ３は、第３のレンズ付きフィルタ３３のレンズ部３０２で集光され、第３の光素子２３に受光される。
【００８２】
第３のレンズ付きフィルタ３３のミラー部３０１で反射された重畳光Ｌ１２（第１及び第２の分波信号光Ｌ１，Ｌ２が重畳された光信号）は、反射部材４０の反射面４０ａで再度反射され、第２のレンズ付きフィルタ３２のミラー部３０１に入射する。第２のレンズ付きフィルタ３２のミラー部３０１は、第２の光素子２２で受光される第２の分波信号光Ｌ２を透過させると共に、第１の光素子２１で受光される第１の分波信号光Ｌ１の波長の光を反射する特性を有している。第２のレンズ付きフィルタ３２のミラー部３０１を透過した第２の分波信号光Ｌ２は、第２のレンズ付きフィルタ３２のレンズ部３０２で集光され、第２の光素子２２に受光される。
【００８３】
第２のレンズ付きフィルタ３２のミラー部３０１で反射された第１の分波信号光Ｌ１は、反射部材４０の反射面４０ａで再度反射され、第１のレンズ付きフィルタ３１のミラー部３０１に入射する。第１のレンズ付きフィルタ３１のミラー部３０１は、第１の光素子２１で受光される第１の分波信号光Ｌ１を透過させ、この第１の分波信号光Ｌ１が第１のレンズ付きフィルタ３１のレンズ部３０２で集光されて第１の光素子２１に受光される。
【００８４】
このように、本実施の形態では、第４のレンズ付きフィルタ３４を除く他のレンズ付きフィルタ３０（第１乃至第３のレンズ付きフィルタ３１〜３３）に、配列方向に隣り合う他のレンズ付きフィルタ３０（第２乃至第４のレンズ付きフィルタ３２〜３４）のミラー部３０１及び反射部材４０の反射面４０ａで反射した光が順次入射する。また、第１乃至第４のレンズ付きフィルタ３１〜３４において、レンズ部３０２を通過する第１乃至第４の分波信号光Ｌ１〜Ｌ４の光路の中心軸は、レンズ部３０２の中心軸に対して例えば５〜１５°の角度で傾斜している。
【００８５】
次に、本実施の形態に係る光学系１０の組み付け手順について説明する。この組み付けは、第１の実施の形態と同様に、基台１３の搭載面１３ａ上に第１乃至第４の光素子２１〜２４、反射部材４０、及び増幅素子１４を所定の位置に配置及び固定し、ボンディングワイヤ５１〜５４で増幅素子１４の電極を各部に接続した後、第４のレンズ付きフィルタ３４、第３のレンズ付きフィルタ３３、第２のレンズ付きフィルタ３２、及び第１のレンズ付きフィルタ３１をこの順序で順次位置決め及び固定することによって行う。
【００８６】
第４のレンズ付きフィルタ３４は、図５に示すように、ミラー部３０１が反射部材４０の反射面４０ａと平行であり、かつ光ファイバ９１から出射されたＷＤＭ光信号の第４の分波信号光Ｌ４が第４の光信号２４で受光される位置に位置決めされる。第３のレンズ付きフィルタ３３は、図６に示すように、そのミラー部３０１が反射部材４０の反射面４０ａと平行であり、かつ第４のレンズ付きフィルタ３４のミラー部３０１及び反射部材４０の反射面４０ａで反射されて第３のレンズ付きフィルタ３３のミラー部３０１を透過した第３の分波信号光Ｌ３が第３の光素子２３で受光される位置に位置決めされる。
【００８７】
また、第２のレンズ付きフィルタ３２は、図７に示すように、そのミラー部３０１が反射部材４０の反射面４０ａと平行であり、かつ第３及び第４のレンズ付きフィルタ３３，３４のミラー部３０１及び反射部材４０の反射面４０ａで反射されて第２のレンズ付きフィルタ３２のミラー部３０１を透過した第２の分波信号光Ｌ２が第２の光素子２２で受光される位置に位置決めされる。またさらに、第１のレンズ付きフィルタ３２は、そのミラー部３０１が反射部材４０の反射面４０ａと平行であり、かつ第２乃至第３のレンズ付きフィルタ３２〜３４のミラー部３０１及び反射部材４０の反射面４０ａで反射されて第１のレンズ付きフィルタ３１のミラー部３０１を透過した第１の分波信号光Ｌ１が第２の光素子２２で受光される位置に位置決めされる。
【００８８】
なお、第１乃至第４のレンズ付きフィルタ３１〜３４は、第１の実施の形態と同様に、位置決め完了後に例えば紫外線硬化型接着剤によって基台１３に固定される。
【００８９】
以上により、図３（ａ）に示すように第１乃至第４のレンズ付きフィルタ３１〜３４が組み付けられ、光学系１０が構成される。本実施の形態によっても、第１の実施の形態について説明した作用及び効果と同様の作用及び効果が得られる。
【００９０】
［第４の実施の形態］
次に、本発明の第４の実施の形態について説明する。本実施の形態に係る光モジュールは、光信号の受信に用いられる点で第２の実施の形態に係る光モジュールと機能を異にしているが、第２の実施の形態に係る光モジュールの各構成部品にそれぞれ対応する構成部品を有して構成されている。このため、第２の実施の形態の説明において参照した図８〜図１０を援用して以下説明する。
【００９１】
本実施の形態に係る光モジュールは、それぞれの光素子２０が光を受光して電気信号に変換する受光素子（フォトダイオード）であり、この電気信号が第１及び第２の増幅素子１４１，１４２で増幅される。光学系１００は、光ファイバから出射されたＷＤＭ光信号を波長帯域ごとに分波し、分波信号光をレンズ部３０２から出射して複数の光素子２０に受光させる。
【００９２】
本実施の形態に係る光学系１００は、光の進行方向が第２の実施の形態と逆向きであるが、光の経路は共通である。つまり、本実施の形態では、複列に配置された複数のレンズ付きフィルタ３０のうち、１つのレンズ付きフィルタ３０のミラー部３０１に波長の異なる複数の光が合波された波長分割多重光が入射し、他のレンズ付きフィルタ３０には、対向する列のレンズ付きフィルタ３０のミラー部３０１で反射した光が入射する。そして、複数の光素子２０には、対応するレンズ付きフィルタ３０のミラー部３０１を透過して分光され、レンズ部３０２によって集光された光が順次入射する。
【００９３】
この光学系１００における複数のレンズ付きフィルタ３０は、光ファイバから出射されたＷＤＭ光信号が入射するレンズ付きフィルタ３０を最初に組み付け、２番目に、このレンズ付きフィルタ３０のミラー部３０１で反射した光が入射する他のレンズ付きフィルタ３０を組み付ける。その後、各レンズ付きフィルタ３０のミラー部３０１で反射した光が入射する順番と同じ順序で複数のレンズ付きフィルタ３０を順次組み付ける。
【００９４】
より具体的には、光ファイバから出射されたＷＤＭ光信号が入射するレンズ付きフィルタ３０は、そのミラー部３０１が第１光素子列２０Ａ及び第２光素子列２０Ｂにおける複数の光素子２０の並び方向と平行で、かつこのミラー部３０１を透過した光が対応する光素子２０に受光される位置に位置決めされる（図９参照）。２番目に組み付けられるレンズ付きフィルタ３０は、図１０に示すように、そのミラー部３０１が最初に組み付けられたレンズ付きフィルタ３０のミラー部３０１と平行で、かつ対応する光素子２０に分波信号光が受光される位置に位置決めされる。その後、同様の手順によって残りのレンズ付きフィルタ３０を組み付ける。
【００９５】
本実施の形態によっても、第２の実施の形態について説明した作用及び効果と同様の作用及び効果が得られる。
【００９６】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００９７】
［１］光を発光又は受光する複数の光素子（２０）と、所定の透過帯域の波長の光を透過させると共に所定の反射帯域の波長の光を反射するミラー部（３０１）ならびに前記光素子（２０）に対向するレンズ部（３０２）を有し、前記複数の光素子（２０）のそれぞれに対応して配置された複数の光学部材（レンズ付きフィルタ３０）とを備え、前記複数の光素子（２０）は、互いに波長が異なる光を発光又は受光し、前記複数の光学部材（３０）は、前記レンズ部（３０２）によって前記光素子（２０）が発光又は受光する光を平行化又は集光すると共に、前記ミラー部（３０１）によって前記複数の光素子（２０）が発光又は受光する光を合波又は分波するように位置決めして配置された、光モジュール。
【００９８】
［２］前記光学部材（３０）は、透光性を有する多面体状の基部の一側面（第１の側面３００ａ）に前記ミラー部（３０１）が形成され、前記ミラー部（３０１）が形成された前記一側面（３００ａ）とは異なる側面（第２の側面３００ｂ）に前記レンズ部（３０２）が設けられている、前記［１］に記載の光モジュール。
【００９９】
［３］前記光学部材（３０）は、前記基部（３００）が直方体状であり、前記レンズ部（３０２）が前記一側面（３００ａ）の反対側の側面（３００ｂ）に設けられ、前記レンズ部（３０２）を透過する光の光路の中心軸（Ａ２）が前記レンズ部（３０２）の中心軸（Ａ１）に対して傾斜した、前記［２］に記載の光モジュール。
【０１００】
［４］前記複数の光素子（２０）のそれぞれは、互いに波長が異なる光を発光する発光素子であり、前記複数の光学部材（３０）のうち、１つの光学部材（３０）を除く他の光学部材（３０）の前記ミラー部（３０１）を透過した光を反射する反射部材（４０）をさらに備え、前記複数の光学部材（３０）は、前記ミラー部（３０１）が前記反射部材（４０）の反射面（４０ａ）と平行となるように列状に配置され、前記他の光学部材（３０）の前記ミラー部（３０１）を透過した光が前記反射部材（４０）の前記反射面（４０ａ）で反射して隣り合う光学部材（３０）の前記ミラー部（３０１）に入射することで、前記複数の光素子（２０）の信号光が重畳される、前記［１］乃至［３］の何れか１つに記載の光モジュール。
【０１０１】
［５］前記複数の光素子（２０）のそれぞれは、光を受光して電気信号に変換する受光素子であり、前記複数の光学部材（３０）の前記ミラー部（３０１）と平行な反射面（４０ａ）を有する反射部材（４０）をさらに備え、前記複数の光学部材（３０）は、前記反射部材（４０）の反射面（４０ａ）と平行な配列方向に沿って列状に配置され、前記複数の光学部材（３０）のうちの１つの光学部材（３０）には、波長の異なる複数の光が合波された波長分割多重光が前記ミラー部（３０１）に入射し、前記複数の光学部材（３０）のうち前記１つの光学部材（３０）を除く他の光学部材（３０）には、前記配列方向に隣り合う光学部材（３０）の前記ミラー部（３０１）及び前記反射部材（４０）の前記反射面（４０ａ）で反射した光が順次入射する、前記［１］乃至［３］の何れか１つに記載の光モジュール。
【０１０２】
［６］前記複数の光学部材（３０）は、前記ミラー部（３０１）同士が向かい合うように複列に配置され、前記複数の光素子（２０）は、前記複列に配置された前記光学部材（３０）のそれぞれの前記レンズ部（２０）に対向するように複列に配置され、互いに波長が異なる光を前記レンズ部（３０２）に向かって発光し、複列に配置された前記複数の光学部材（３０）のうち一方列の光学部材（３０）の前記ミラー部（３０１）を透過した光が他方列の光学部材（３０）の前記ミラー部（３０１）で反射することにより、前記複数の光素子（２０）の信号光が順次重畳される、前記［１］乃至［３］の何れか１つに記載の光モジュール。
【０１０３】
［７］前記複数の光学部材（３０）は、前記ミラー部（３０１）同士が向かい合うように複列に配置され、前記複数の光素子（２０）は、前記複列に配置された前記光学部材（３０）のそれぞれの前記レンズ部（３０２）に対向するように複列に配置され、前記複数の光学部材（３０）のうちの１つの光学部材（３０）には、波長の異なる複数の光が合波された波長分割多重光が前記ミラー部（３０１）に入射し、前記複数の光学部材（３０）のうち前記１つの光学部材（３０）を除く他の光学部材（３０）には、対向する列の前記光学部材（３０）の前記ミラー部（３０１）で反射した光が入射し、前記複数の光素子（２０）には、前記ミラー部（３０１）を透過して分光され、前記レンズ部（３０２）によって集光された光が順次入射する、前記［１］乃至［３］の何れか１つに記載の光モジュール。
【０１０４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【０１０５】
また、本発明は、その趣旨を逸脱しない範囲で適宜変形して実施することが可能である。例えば、上記実施の形態では、レンズ付きフィルタ３０の基部３００が直方体状であり、ミラー部３０１が形成された第１の側面３００ａとレンズ部３０２が設けられた第２の側面３００ｂとが互いに平行である場合について説明したが、図１１に示すように、第１の側面３００ａと第２の側面３００ｂとが非平行であり、レンズ部３０２の中心軸Ａ１が光素子２０の信号光Ｌの光軸Ａ２と一致していてもよい。この場合、レンズ３０２が光素子２０に正対するので、レンズ付きフィルタ３０の位置決めを行いやすくなる。
【０１０６】
また、光素子２０として、基台１３の搭載面１３ａに対して垂直な方向に信号光を出射する表面出射型の発光素子、又は基台１３の搭載面１３ａに対して垂直な方向からの信号光を受光する表面入射型の受光素子を用い、図１２に示すようにミラー７の反射面７ａで信号光を反射させてもよい。この場合、ミラー７は図略の支持部材によって支持され、反射面７ａは基台１３の搭載面１３ａに対して４５°の角度で傾斜する。
【０１０７】
また、光学系１０，１００を構成する光素子２０及びレンズ付きフィルタ３０の個数は、上記各実施の形態に例示したものに限らず、用途に応じて適宜増減することができる。
【０１０８】
また、第１及び第３の実施の形態における第１のレンズ付きフィルタ３１のミラー部３０１には、多層膜フィルタを形成することなく、全ての波長の光を透過させるようにしてもよい。図８に示す第２のフィルタ列３０Ｂの一方の端部（図面上側の端部）におけるレンズ付きフィルタ３０についても同様である。
【０１０９】
また、上記実施の形態では、基台１３の搭載面１３ａの全体が導電性金属によって構成された場合について説明したが、これに限らず、基台１３が例えばプリント基板によって構成されていてもよい。この場合、基台１３の搭載面１３ａは、プリント基板の実装面となる。またさらに、ケース部材１１の形状や構成は図１に例示したものに限らず適宜変形可能であり、光アイソレータ１５を省略することも可能である。
【符号の説明】
【０１１０】
１…光モジュール
２０…光素子
２０Ａ…第１の光素子列
２０Ｂ…第２の光素子列
３０…レンズ付きフィルタ（光学部材）
３０Ａ…第１のフィルタ列
３０Ｂ…第２のフィルタ列
３００…基部
３００ａ…第１の側面
３００ｂ…第２の側面
３０１…ミラー部
３０２…レンズ部
４０…反射部材
４０ａ…反射面
【図１】
2016099511.tif 000003
【図２】
2016099511.tif 000004
【図３】
2016099511.tif 000005
【図４】
2016099511.tif 000006
【図５】
2016099511.tif 000007
【図６】
2016099511.tif 000008
【図７】
2016099511.tif 000009
【図８】
2016099511.tif 000010
【図９】
2016099511.tif 000011
【図１０】
2016099511.tif 000012
【図１１】
2016099511.tif 000013
【図１２】
2016099511.tif 000014